(57)【要約】【課題】  操作性・信頼性を向上した座標入力／検出装置を用いた操作手段を提供する。【解決手段】  画像表示装置の表示画面と一体に実装される座標入力／検出装置を用いた画像表示装置において、該座標入力／検出装置は、専用指示具からの押下信号受信手段を備え、座標入力／検出領域において、操作手段の位置に対応する座標の検出に伴って該押下信号受信手段で押下信号を検出し、その後座標検出がされなくなったことを判定した場合、前記操作手段に割り付けられた画像表示装置の操作機能を直ちに実行し、操作手段の位置に対応する座標の検出に伴って押下信号が検出されない場合には、該検出座標で所定時間滞留した後に座標検出がされなくなったことを判定して前記操作手段に割り付けられた画像表示装置の操作機能を実行する。【選択図】  図３
2007072507.tif 000002
【特許請求の範囲】
【請求項１】
画像表示装置の表示画面と一体に実装される座標入力／検出装置を用いた画像表示装置において、
該座標入力／検出装置は、専用指示具からの押下信号受信手段を備え、座標入力／検出領域において、操作手段の位置に対応する座標の検出に伴って該押下信号受信手段で押下信号を検出し、その後座標検出がされなくなったことを判定した場合、前記操作手段に割り付けられた画像表示装置の操作機能を直ちに実行し、
操作手段の位置に対応する座標の検出に伴って押下信号が検出されない場合には、該検出座標で所定時間滞留した後に座標検出がされなくなったことを判定して前記操作手段に割り付けられた画像表示装置の操作機能を実行する、
ことを特徴とする画像表示装置。
【請求項２】
前記操作手段は画像表示装置の表示画面領域外に配置され、座標入力／検出領域は画像表示装置の表示画面領域と前記操作手段の配置領域を包含することを特徴とする請求項１に記載の画像表示装置。
【請求項３】
前記操作手段の位置に対応する座標の検出後、該検出座標が連続的に変化し、前記操作手段の位置から外れて座標検出がされなくなったことを判定した場合、該操作手段に割り付けられた画像表示装置の操作機能を実行しないことを特徴とする請求項１に記載の画像表示装置。
【請求項４】
画像表示装置の表示画面と一体に実装される座標入力／検出装置を用いた画像表示方法において、
該座標入力／検出装置は、専用指示具からの押下信号受信ステップを備え、座標入力／検出領域において、操作手段の位置に対応する座標の検出に伴って該押下信号受信ステップで押下信号を検出するステップと、押下信号が検出されない場合に該検出座標で所定時間滞留したか否かを判別するステップと、その後座標検出がされなくなったことを判別するステップと、前記操作手段に割り付けられた画像表示装置の操作機能を実行するステップとをすることを特徴とする座標入力／検出装置を用いた画像表示装置の操作制御方法。
【発明の詳細な説明】
【技術分野】
【０００１】
本発明は、座標入力／検出装置を用いた操作手段、および操作方法に関し、より詳細には、座標入力／検出装置を用いた操作手段の操作性・信頼性の向上に使用して好適なものである。
【背景技術】
【０００２】
入力面に専用指示具や指などの汎用指示具によって直接目的とする位置を指示して座標を入力することにより、接続されたコンピュータを制御したり文字や図形などを書き込んだりするために用いられる座標入力／検出装置がある。
【０００３】
座標入力／検出方式としては、抵抗膜を用いたもの、超音波を用いたものなど様々な方式があるが、汎用性を高めるために専用指示具を用いない方式として、例えば、光方式を用いた特許文献１がある。特許文献１では、座標入力／検出領域の周辺に再帰性反射部材を設け、座標入力／検出領域角端部に配置された光照射／受光手段から照射される光を再帰反射部材で反射させ、受光手段により光量分布を検出することで、座標入力／検出領域における任意の指示手段で遮蔽された領域の角度を検出し、遮蔽位置つまり入力位置の座標を決定する方式を開示している。  
【０００４】
また、特許文献１では、入力深さに複数の閾値を設けて一定以上の深い入力になるまでは座標検出のみとし、一定以上の深い入力がなされたと判定されたときには押下状態と判断して、例えばマウスにおける左クリック機能を実現している。
【０００５】
このような座標入力／検出装置をリアプロジェクタやプラズマディスプレイパネルなどのディスプレイ画面と一体に実装し、該ディスプレイにPC画面を表示すると共に前記座標入力／検出装置における検出座標値および左クリック操作情報をPCへ送信することによって、マウス操作と同等のポインティング操作をより直感的に実現することが出来る。
【０００６】
マウスの代用を考える場合、右クリックに相当する機能の実現も要求される。しかしながら、特許文献１における入力深さに複数の閾値を設けて押下状態を判定する方法では、左クリック機能と右クリック機能を同時に実現するのは困難である。従って、PCにおけるマウス機能を完全に代用することを考えた場合、例えばマウスの左クリックおよび右クリックなどの複数の操作情報を送信可能な専用指示具が必須と考えられ、例えば、光方式の座標入力／検出装置において専用指示具を備えるものとして特許文献２が開示されている。
【０００７】
特許文献２では、専用指示具に発光機能を備え、座標入力／検出装置が備える受光手段で該専用指示具の発光信号を検出する構成とし、前記受光手段における座標取得動作と専用指示具からの発光信号取得動作とを調停することで単一の受光手段で専用指示具からの情報と座標検出情報との検出を実現している。
【特許文献１】特開２０００−１０５６７１
【特許文献２】特開２００５−０５６３４１
【発明の開示】
【発明が解決しようとする課題】
【０００８】
ところで、座標入力／検出領域を画面表示領域以上に拡張し、該拡張領域にディスプレイ自体の機能を操作する操作キーを配置することで、電気的および機械的部材を必要としない操作キーを構成することが出来る。
【０００９】
このような操作キーは、汎用指示具で操作できることが必須であるが、特許文献１に開示される入力深さに複数の閾値を設けて押下状態を判定する座標入力／検出装置では、例えば操作キー位置に予期しない物体が接触することにより操作キー入力が為され、結果として、例えばチャネル切り換えなど、ディスプレイが意図しない機能を実行してしまうという問題がある。
【００１０】
従って、特許文献２で開示される専用指示具を備える座標入力／検出装置を使用することにより操作の確実性向上を図ると共に、汎用指示具にも誤動作すること無く対応することが望まれる。
【００１１】
本発明は、このような従来技術の問題点に鑑みてなされたものであり、その目的は、操作性・信頼性を向上した座標入力／検出装置を用いた操作手段を提供することである。
【課題を解決するための手段】
【００１２】
この課題を解決するために本発明による画像表示装置の表示画面と一体に実装される座標入力／検出装置を用いた画像表示装置の操作手段は、座標入力／検出装置に専用指示具からの押下信号受信手段を備え、座標入力／検出領域において、操作手段の位置に対応する座標の検出に伴って該押下信号受信手段で押下信号を検出し、その後座標検出がされなくなったことを判定した場合、前記操作手段に割り付けられた画像表示装置の操作機能を直ちに実行し、操作手段の位置に対応する座標の検出に伴って押下信号が検出されない場合には、該検出座標で所定時間滞留した後に座標検出がされなくなったことを判定して前記操作手段に割り付けられた画像表示装置の操作機能を実行することを特徴とする。
【００１３】
上記課題解決手段による作用は次の通りである。
【００１４】
すなわち、専用指示具で操作手段を指示した場合には、操作者の意思が明確であるため、操作されると同時に操作手段に割り付けられた機能を実行することで操作性向上を図ることが出来る。また、汎用指示具で操作手段を指示した場合には、該検出座標で所定時間滞留することを判別し、さらに座標検出がなくなったことを判定することにより意図しない接触による誤動作を防止し信頼性向上を図ることが出来る。
【発明の効果】
【００１５】
上述したように、本発明による画像表示装置の表示画面と一体に実装される座標入力／検出装置を用いた画像表示装置の操作手段によれば、操作性・信頼性を向上した操作手段を提供することが出来る。
【発明を実施するための最良の形態】
【００１６】
以下、本発明の実施の形態を図面に基づいて説明する。
【００１７】
図１は、座標入力／検出装置を備えた画像表示装置の概略ブロック図を示す。図１において、１は画像表示装置、１０は画像信号Ｉ／Ｆ、２０は画像処理部、３０は画像表示装置１の制御部、４０は制御信号Ｉ／Ｆ、１００は画像表示部、２００は座標入力／検出装置である。
【００１８】
本構成において、画像信号Ｉ／Ｆ１０を介して入力されるパーソナルコンピュータ（以下ＰＣ）４００からの画像信号は、画像処理部２０で画像表示部１００へ表示するための処理を行って画像表示部１００で表示される。また、画像処理部２０は、制御部３０の制御によってＯＳＤ画像あるいは任意の画像を表示することも可能なように構成される。
【００１９】
座標入力／検出装置２００は、画像表示部１００と一体に配置されており、任意の指示手段による表示画面上への指示を検出し、後で詳述する制御・演算ユニット２０１で座標情報に変換して該座標情報を制御部３０へ送出する。ここで、座標検出部２００の座標検出手段に関しては特に限定するものではない。
【００２０】
図２は、座標入力／検出装置２００の概略構成を示す図である。図２において、２０２および２０３は光照射／受光手段を備えるセンサユニットであり、本実施形態では図示の如く座標入力／検出領域２０５の頂角部の左右対称な位置に所定距離を持って設置している。センサユニット２０２および２０３は、座標入力／検出装置２００の制御・演算を行う制御・演算ユニット２０１に接続され、制御信号を制御・演算ユニット２０１から受信すると共に、検出した信号を制御・演算ユニット２０１に送信する。
【００２１】
２０４は、入射光を到来方向に反射する再帰反射面を有する再帰性反射部であり、左右それぞれのセンサユニット２０２および２０３から略９０°範囲に照射された光を、センサユニット２０２および２０３に向けて再帰反射する。再帰反射部２０４は、ミクロ的に見て３次元的な構造を有し、現在では、主にビーズタイプの再帰反射テープ、或いはコーナキューブを機械加工等により規則正しく配列することで再帰現象を起こす再帰反射テープが知られている。
【００２２】
座標入力／検出領域２０５は、画像表示装置１の表示画面領域１００と画像表示装置の入力切り替えや音量調節などの機能を割り付けた操作手段領域２０６とを包含して構成される。
【００２３】
このような構成において、座標入力／検出領域２０５にペンや指等の指示具による入力指示がなされると、センサユニット２０２および２０３の備える光照射部から照射された光が遮られ、再帰性反射部２０４による反射光が入力指示位置のみ得られなくなる。その結果、どの方向からの光が検出できなかったかを判別することが可能となる。
【００２４】
制御・演算ユニット２０１は、センサユニット２０２および２０３が検出する光量変化から、指示具によって入力指示された部分の遮光範囲を検出し、その遮光範囲内での検出点を特定して、センサユニット２０２および２０３それぞれに対する指示具の角度を算出する。そして、算出された角度及びセンサユニット間の距離等から、座標入力／検出領域２０５上の指示具の指示位置を算出し、画像表示装置１の制御部３０に座標値を出力する。
【００２５】
また、指等の汎用指示具ではなく、ペンダウン検出スイッチを有するような、専用指示具を用いることができる。図２に示す３００はそのような専用指示具の一例としての発光ペンである。ペン先スイッチ３０１、もしくはペンサイドに設けられたスイッチ３０２を押下すると、発光ペン３００に内蔵された不図示の赤外ＬＥＤが発光し、スイッチ情報を送信する。
【００２６】
発せられた光信号は、集光光学系を有する受光ＩＣ２０７によって検出され、その検出結果が制御・演算ユニット２０１に送信される。そして制御・演算ユニット２０１は光信号の情報を、発光ペン３００の座標情報と共に画像表示装置１の制御部３０に出力する。例えば、発光ペン３００で座標入力／検出領域２０５の一部を指示してペン先スイッチ３０１がオンとなった状態をペンダウン情報とする。
【００２７】
画像表示装置１の制御部３０は、検出座標が画像表示領域１００上にある場合には、画像表示装置１に接続されるＰＣ４００へ座標情報とペンダウン等の情報を出力し、該情報を利用することでＰＣ４００の操作を可能とする。検出座標が操作手段領域２０６上にある場合には、画像表示装置１の制御情報として座標情報とペンダウン等の情報を取り込み、該操作手段領域２０６に割り付けられている画像表示装置１自身の操作機能の実行を可能とする。
【００２８】
図３は、本実施形態に係る操作処理のフローチャートである。なお同図のフローチャートに従った処理は制御部３０が行うものである。
【００２９】
まず、専用指示具である発光ペン３００で操作手段領域２０５に位置する第一の操作手段２０５ａを指示した場合の処理を説明する。
【００３０】
図３において、指示入力の有無を判別し（ステップＳ１００）、指示入力を検出した時は、該指示座標を取得する（ステップＳ１０１）。次に、該取得座標が操作手段領域であるか否かを判別し（ステップＳ１１０）、操作手段２０５ａ領域であった場合、座標移動の有無を判別する（ステップＳ１１１）。ここで、ステップＳ１００における指示入力検出が新規の場合、および連続的に指示入力が検出され、該座標と直前の検出座標とを比較して操作手段２０５ａ領域内にある場合には座標移動無しと判定し、ペンダウン信号の有無を判別し（ステップＳ１１２）、ペンダウン信号有りと判定した場合、再度指示入力の有無を判別し（ステップＳ１１５）、指示入力が無くなっていたら操作手段２０５ａに割り付けられている画像表示装置１の機能、例えば音量調整機能を実行する（Ｓ１１６）。ステップＳ１１５で指示入力が継続していると判定された場合、指示入力が無くなるまでステップＳ１００からステップＳ１１５を繰り返す。ところで、ステップＳ１１１において、ステップＳ１０１で取得した座標が直前の検出座標から移動して操作手段２０５ａ領域内から外れている場合には、異状入力として指示入力を無効とし処理を終わる。以上の処理は、専用指示具による画像表示装置１の機能操作として処理される。
【００３１】
ステップＳ１１２の判別の結果、ペンダウン信号無しと判定した場合、所定時間経過したか否かを判別し（ステップＳ１１３）、所定時間経過していた場合、再度指示入力の有無を判別し（ステップＳ１１５）、指示入力が無くなっていたら操作手段２０５ａに割り付けられている画像表示装置１の機能を実行する（Ｓ１１６）。ステップＳ１１３で所定時間経過していないと判定された場合、時間をカウントアップあるいはカウントダウンし（ステップＳ１１４）、ステップＳ１００へ戻る。指示入力が継続し、座標移動が無く、所定時間経過していない場合、ステップＳ１００からステップＳ１１４を繰り返す。以上の処理は、指などの汎用指示具による画像表示装置１の機能操作として処理される。
【００３２】
ステップＳ１００の判別の結果、指示入力のあった座標が操作手段に無いと判定された場合、座標情報とペンダウン等の情報を接続されるＰＣ４００へ出力する（ステップＳ１２０）。以上の処理は、ＰＣへの座標情報送出として処理される。
【００３３】
以上、本実施形態によれば、指などの汎用指示手段で操作可能な座標入力／検出装置を用いた操作手段を提供することができる。また、該操作手段を汎用指示手段で指示する場合、ご操作を防止するために所定時間の滞留を判別するが、専用指示具で操作した場合には明確な意思を持って指示されるため所定時間の滞留を省くというように処理を分けることによって、操作性・信頼性を向上することができる。
【図面の簡単な説明】
【００３４】
【図１】本発明における座標入力／検出装置を備えた画像表示装置を示す概略ブロック図である。
【図２】本発明における座標入力／検出装置を示す概略構成図である。
【図３】本発明の座標入力／検出装置を用いた画像表示装置の操作手段における処理を示すフローチャートである。
【符号の説明】
【００３５】
１  画像表示装置
１０  画像信号Ｉ／Ｆ
２０  画像処理部
３０  制御部
４０  制御信号Ｉ／Ｆ
１００  画像表示部
２００  座標入力／検出装置
２０１  制御・演算ユニット
２０２、２０３  センサユニット
２０４  再帰性反射部
２０５  座標入力／検出領域
２０６  操作手段領域
２０７  受光ＩＣ
３００  発光ペン
３０１  ペン先スイッチ
３０２  ペンサイドスイッチ
【図１】
2007072507.tif 000003
【図２】
2007072507.tif 000004
【図３】
2007072507.tif 000005